(57)【要約】      （修正有）【課題】逆バイアス電圧を印加する非点灯走査期間を設けることによる発光効率の大幅な低下を抑制し、自発光素子への逆バイアス電圧印加の効果を向上できる自発光パネルの駆動装置及び駆動方法を提供する。【解決手段】複数のデータ線Ａおよび複数の走査線Ｋの各交差位置に自発光素子Ｅが配され、データ線駆動手段２及び走査線走査手段３により各自発光素子Ｅを選択的に発光駆動する自発光パネルの駆動装置１００であって、データ線駆動手段２及び走査線走査手段３の動作制御を行う発光制御手段５を備え、発光制御手段５は、走査線走査手段３により複数の走査線Ｋが順次走査される１フレーム期間に、自発光素子Ｅに順バイアス電圧が印加されて点灯発光する点灯走査期間と、全ての自発光素子Ｅに逆バイアス電圧が印加されて点灯発光しない非点灯走査期間とを設けると共に、非点灯走査期間の長さを、１走査線を走査する１走査期間の長さよりも短く設定する。【選択図】図５
2006251457.tif 000002
【特許請求の範囲】
【請求項１】
複数のデータ線および複数の走査線の各交差位置に自発光素子が配され、データ線駆動手段及び走査線走査手段により前記各自発光素子を選択的に発光駆動する自発光パネルの駆動装置であって、
前記データ線駆動手段及び走査線走査手段の動作制御を行う発光制御手段を備え、
前記発光制御手段は、前記走査線走査手段により前記複数の走査線が順次走査される１フレーム期間に、前記自発光素子に順バイアス電圧が印加されて点灯発光する点灯走査期間と、全ての自発光素子に逆バイアス電圧が印加されて点灯発光しない非点灯走査期間とを設けると共に、前記非点灯走査期間の長さを、１走査線を走査する１走査期間の長さよりも短く設定することを特徴とする自発光パネルの駆動装置。
【請求項２】
複数のデータ線および複数の走査線の各交差位置に自発光素子が配され、データ線駆動手段及び走査線走査手段により前記各自発光素子を選択的に発光駆動する自発光パネルの駆動装置であって、
前記データ線駆動手段及び走査線走査手段の動作制御を行う発光制御手段を備え、
前記発光制御手段は、前記走査線走査手段により前記複数の走査線が順次走査される１フレーム期間に、前記自発光素子に順バイアス電圧が印加されて点灯発光する点灯走査期間と、全ての自発光素子に逆バイアス電圧が印加されて点灯発光しない非点灯走査期間とを設けると共に、１フレーム期間中に、前記非点灯走査期間を複数回設けることを特徴とする自発光パネルの駆動装置。
【請求項３】
前記発光制御手段は、１フレーム期間中に占める前記非点灯走査期間の合計時間の割合が、１フレーム期間中に設けられた非点灯走査期間の数に因らず一定となるよう制御することを特徴とする請求項１または請求項２に記載された自発光パネルの駆動装置。
【請求項４】
前記発光制御手段は、１フレーム期間中に占める前記非点灯走査期間の合計時間の割合が、１フレーム期間中に走査される走査線の数に因らず一定となるよう制御することを特徴とする請求項１乃至請求項３のいずれかに記載された自発光パネルの駆動装置。
【請求項５】
前記発光制御手段は、前記１フレーム期間において、前記非点灯走査期間を、１走査期間ごとに複数回設けることを特徴とする請求項１乃至請求項４のいずれかに記載された自発光パネルの駆動装置。
【請求項６】
前記自発光素子は有機発光機能層を少なくても１層以上含む有機ＥＬ素子であることを特徴とする請求項１乃至請求項５のいずれかに記載された自発光パネルの駆動装置。
【請求項７】
複数のデータ線および複数の走査線の各交差位置に自発光素子が配され、データ線駆動手段及び走査線走査手段により前記各自発光素子を選択的に発光駆動する自発光パネルの駆動方法であって、
前記走査線走査手段により前記複数の走査線が順次走査される１フレーム期間に、前記自発光素子に順バイアス電圧が印加されて点灯発光する点灯走査期間と、全ての自発光素子に逆バイアス電圧が印加されて点灯発光しない非点灯走査期間とを設けると共に、前記非点灯走査期間の長さを、１走査線を走査する１走査期間の長さよりも短く設定することを特徴とする自発光パネルの駆動方法。
【請求項８】
複数のデータ線および複数の走査線の各交差位置に自発光素子が配され、データ線駆動手段及び走査線走査手段により前記各自発光素子を選択的に発光駆動する自発光パネルの駆動方法であって、
前記走査線走査手段により前記複数の走査線が順次走査される１フレーム期間に、前記自発光素子に順バイアス電圧が印加されて点灯発光する点灯走査期間と、全ての自発光素子に逆バイアス電圧が印加されて点灯発光しない非点灯走査期間とを設けると共に、１フレーム期間中に、前記非点灯走査期間を複数回設けることを特徴とする自発光パネルの駆動方法。
【請求項９】
１フレーム期間中に占める前記非点灯走査期間の合計時間の割合が、１フレーム期間中に設けられる非点灯走査期間の数に因らず一定となるよう制御することを特徴とする請求項７または請求項８に記載された自発光パネルの駆動方法。
【請求項１０】
１フレーム期間中に占める前記非点灯走査期間の合計時間の割合が、１フレーム期間中に走査される走査線の数に因らず一定となるよう制御することを特徴とする請求項７乃至請求項９のいずれかに記載された自発光パネルの駆動方法。
【請求項１１】
前記１フレーム期間において、前記非点灯走査期間は、１走査期間ごとに複数回設けられることを特徴とする請求項７乃至請求項１０のいずれかに記載された自発光パネルの駆動方法。
【発明の詳細な説明】
【技術分野】
【０００１】
本発明は、有機ＥＬ（エレクトロルミネッセンス）等の自発光素子を用いた自発光パネルの駆動装置および駆動方法に関する。
【背景技術】
【０００２】
発光素子をマトリクス状に配列して構成される発光パネルを用いたディスプレイ等の開発が広く進められている。このような発光パネルに用いられる発光素子として、例えば有機材料を発光層に用いた有機ＥＬ（エレクトロルミネッセンス）素子が注目されている。
【０００３】
前記した有機ＥＬ素子は、電気的には図１のような等価回路で表すことができる。すなわち、有機ＥＬ素子は、ダイオード成分からなる発光エレメントＥと、この発光エレメントに並列に結合する寄生容量成分Ｃp とによる構成に置き換えることができ、有機ＥＬ素子は容量性の発光素子であると考えられている。
【０００４】
この有機ＥＬ素子は、発光制御電圧が印加されると、先ず、当該素子の電気容量に相当する電荷が電極に変位電流として流れ込み蓄積される。続いて当該素子固有の一定の電圧（発光しきい値電圧＝Ｖth）を越えると、電極（ダイオード成分Ｅのアノード側）から発光層を構成する有機層に電流が流れ初め、この電流に比例した強度で発光すると考えることができる。
【０００５】
図２は、このような有機ＥＬ素子の発光静特性を示したものである。これによれば、有機ＥＬ素子は図２（ａ）に示すように、駆動電流（Ｉ）にほぼ比例した輝度（Ｌ）で発光し、図２（ｂ）に示すように駆動電圧（Ｖ）が発光しきい値電圧（Ｖth）以上の場合において急激に電流（Ｉ）が流れて発光する。換言すれば、駆動電圧が発光しきい値電圧（Ｖth）以下の場合には、ＥＬ素子には電流は殆ど流れず発光しない。したがってＥＬ素子の輝度特性は、図２（ｃ）に実線で示すように前記しきい値電圧（Ｖth）より大なる発光可能領域においては、それに印加される電圧（Ｖ）の値が大きくなるほど、その発光輝度（Ｌ）が大きくなる特性を有している。
【０００６】
かかる有機ＥＬ素子を用いた発光パネルとして、有機ＥＬ素子をマトリックス状に配列したパッシブ駆動型発光パネルが、すでに一部において実用化されている。図３にはパッシブ駆動型発光パネルと、その駆動装置の一例が示されている。このパッシブ型駆動方式における有機ＥＬ素子のドライブ方法には、陰極線走査・陽極線ドライブ、および陽極線走査・陰極線ドライブの２つの方法があるが、図３に示す例は前者の陰極線走査・陽極線ドライブの形態を示している。
【０００７】
すなわち、ｎ本のデータ線としての陽極線Ａ１〜Ａｎが縦方向に配列され、ｍ本の走査線としての陰極線Ｋ１〜Ｋｍが横方向に配列され、各々の交差した部分（計ｎ×ｍ箇所）に、ダイオードのシンボルマークで示した発光素子としての有機ＥＬ素子Ｅ１１ 〜Ｅｎｍが配置されて、発光パネル１を構成している。
【０００８】
そして、画素を構成する各ＥＬ素子Ｅ１１〜Ｅｎｍは、垂直方向に沿う陽極線Ａ１〜Ａｎと水平方向に沿う陰極線Ｋ１〜Ｋｍとの各交点位置に対応して一端（ＥＬ素子の等価ダイオードにおけるアノード端子）が陽極線に、他端（ＥＬ素子の等価ダイオードにおけるカソード端子）が陰極線に接続されている。さらに、各陽極線Ａ１〜Ａｎは陽極線ドライブ回路２に接続され、各陰極線Ｋ１〜Ｋｍは陰極線走査回路３に接続されてそれぞれ駆動される。
【０００９】
前記陽極線ドライブ回路２には、供給電源ＶＨにより駆動され一定の駆動電流を生成する定電流源Ｉ１〜Ｉｎと、ドライブスイッチＳＸ１〜ＳＸｎが備えられており、ドライブスイッチＳＸ１〜ＳＸｎを介して、前記定電流源Ｉ１〜Ｉｎからの駆動電流を各陽極線Ａ １〜Ａｎに与えるように構成されている。
【００１０】
すなわち、前記ドライブスイッチＳＸ１〜ＳＸｎが前記定電流源Ｉ１〜Ｉｎ側を選択することにより、定電流源Ｉ１〜Ｉｎからの電流が、陰極線に対応して配置された個々のＥＬ素子Ｅ１１〜Ｅｎｍに対して供給されるように作用する。また、前記ドライブスイッチＳＸ１〜ＳＸｎは、定電流源Ｉ１〜Ｉｎからの電流を個々のＥＬ素子に供給しない場合には、基準電位点としてのグランド側に接続できるように構成されている。
【００１１】
一方、前記陰極線走査回路３には、各陰極線Ｋ１〜Ｋｍに対応して走査スイッチＳＹ１〜ＳＹｍが備えられ、例えば前記した供給電源ＶＨを分圧して得られた逆バイアス電圧ＶＭまたは走査基準電位点としてのグランド電位のうちのいずれか一方を、対応する陰極線に接続するように作用する。
【００１２】
これにより、陰極線を所定の周期で走査基準電位点（グランド電位）に設定しながら、所望の陽極線Ａ１〜Ａｎに定電流源Ｉ１〜Ｉｎを接続することにより、前記各ＥＬ素子を選択的に発光させるように作用する。なお、前記定電流源に代えて、駆動電源として定電圧回路を用いることも可能であるが、ＥＬ素子の電流・輝度特性が温度変化に対して安定しているのに対し、電圧・輝度特性が温度変化に対して不安定であること等の理由により、駆動電源としては図３に示すように定電流源を用いるのが一般的である。
【００１３】
また、前記陽極線ドライブ回路２および陰極線走査回路３は、図３には示されていないが発光制御回路より指令を受け、発光制御回路に供給される発光データに応じて、当該発光データに対応した画素を発光させるように作用する。この場合、陰極線走査回路３は、発光制御回路からの指令により発光データの水平走査期間に対応する陰極線のいずれかを順次選択して、走査基準電位点としてのグランド電位に設定し、その他の非走査状態の陰極線には逆バイアス電圧ＶＭが印加されるように走査スイッチＳＹ１〜ＳＹｍを順次切り換える制御がなされる。なお、図３に示した状態は、第２の陰極線Ｋ２が走査されている状態を示しており、他の陰極線には逆バイアス電圧ＶＭが印加されている。
【００１４】
前記逆バイアス電圧ＶＭは、走査選択がなされた陰極線との交点に接続されたドライブされているＥＬ素子の寄生容量を充電すると共に、ドライブされている陽極線と走査選択がなされていない陰極線との交点に接続されたＥＬ素子がリーク電流によりクロストーク発光することを防止するように作用する。この逆バイアス電圧ＶＭの電圧値は、発光状態におけるＥＬ素子の順方向電圧Ｖｆにほぼ等しい値に設定されるのが一般的である。そして、走査スイッチＳＹ１〜ＳＹｍが水平走査期間毎に、順次グランド電位に切り換えられるので、グランド電位に設定された陰極線は、その陰極線に接続されたＥＬ素子を発光可能な状態に設定する。
【００１５】
一方、陽極線ドライブ回路２には、前記した発光制御回路より、発光データが示す画素情報に基づいて陽極線に接続されているＥＬ素子のいずれかを、どのタイミングでどの程度の時間にわたって発光させるかについて制御するドライブ制御信号が供給される。前記陽極線ドライブ回路２は、このドライブ制御信号に応じて、ドライブスイッチＳＸ１〜ＳＸｎのいくつかを、前記した定電流源Ｉ１〜Ｉｎ側にオン制御し、陽極線Ａ１〜Ａｎを通じて発光データに応じたＥＬ素子に対して駆動電流を供給するように作用する。
【００１６】
斯くして、駆動電流が供給されたＥＬ素子は、前記した発光データに応じて発光制御される。なお、図３に示した状態は、前記したとおり第２の陰極線Ｋ２が走査されている状態であり、かつドライブスイッチＳＸ１〜ＳＸｎのうち、ＳＸ２およびＳＸ３が、定電流源側に接続されているので、図中○で囲ったＥ２２およびＥ３２のＥＬ素子が発光制御されることになる。
【００１７】
ところで、前記したパッシブ型駆動方式においては、一般的には図４のタイミング図に示すように、１フレーム期間が、リセット期間、ＥＬ素子の寄生容量を充電するプリチャージ期間、各陰極線を点灯走査する複数の走査期間（ＳＰ：Ｓｃａｎｎｉｎｇ  Ｐｅｒｉｏｄ）からなる点灯走査期間、全ての陰極線の点灯走査を行わない非点灯走査期間（ＮＳＰ：Ｎｏｎ  Ｓｃａｎｎｉｎｇ  Ｐｅｒｉｏｄ）の順番で構成される。そして、１フレーム期間内の前記各期間において、データ線、選択された走査線（陰極線）、選択されない非選択走査線のそれぞれに対し、表１に示すような電圧印加制御がなされる。
【表１】
2006251457.tif 000003
【００１８】
表１に示す点灯走査期間においては、前記したように走査選択されていない陰極線（非選択走査線）に対して逆バイアス電圧Ｖｍが印加されるが、非点灯走査期間（ＮＳＰ）においても、全てのＥＬ素子に対し同時に逆バイアス電圧Ｖｍが印加される。すなわちこれは、発光動作に寄与しない逆バイアス電圧をＥＬ素子に印加することで、素子の発光寿命を延ばすことができ、特に、その回数が多いほど自己リペア効果が向上し、より延命効果を得ることが経験上知られているためである。なお、逆バイアス電圧印加によるＥＬ素子の延命効果については、特許文献１にも記載されている。
【特許文献１】特開平１１−８０６４号公報（段落０００３〜０００５、図２）
【発明の開示】
【発明が解決しようとする課題】
【００１９】
ところで、全ＥＬ素子に対して逆バイアス電圧が印加される非点灯走査期間（ＮＳＰ）の長さは、点灯走査期間における非選択走査線への逆バイアス電圧の印加制御が走査期間（ＳＰ）単位で行われるために、従来は制御の容易さを考慮して１走査期間からＮ走査期間（Ｎは正の整数）の間とされていた。この場合、走査線（陰極線）の本数が多い場合には問題ないが、走査線の本数が極端に少ない場合（例えば６本等）には、１フレーム期間が短いために１フレーム期間中に非点灯走査期間（ＮＳＰ）が占める割合が大きくなり、発光効率が大幅に低下するという課題があった。また、前記のように、非点灯走査期間（ＮＳＰ）の長さが最低でも１走査期間（ＳＰ）であったために、走査線の数が異なると、発光効率も変化するという課題があった。
【００２０】
この発明は、前記したパッシブ駆動型発光パネルにおいて発生する発光効率低下の問題点に着目してなされたものであり、１フレーム期間中に全自発光素子に対し逆バイアス電圧を印加するための非点灯走査期間（ＮＳＰ）を設け、非点灯走査期間（ＮＳＰ）を設けることによる発光効率の大幅な低下を抑制すると共に、自発光素子への逆バイアス電圧印加の効果を向上することのできる自発光パネルの駆動装置及び駆動方法を提供することを目的とするものである。
【課題を解決するための手段】
【００２１】
前記課題を解決するためになされた本発明にかかる自発光パネルの駆動装置は、請求項１に記載のとおり、複数のデータ線および複数の走査線の各交差位置に自発光素子が配され、データ線駆動手段及び走査線走査手段により前記各自発光素子を選択的に発光駆動する自発光パネルの駆動装置であって、前記データ線駆動手段及び走査線走査手段の動作制御を行う発光制御手段を備え、前記発光制御手段は、前記走査線走査手段により前記複数の走査線が順次走査される１フレーム期間に、前記自発光素子に順バイアス電圧が印加されて点灯発光する点灯走査期間と、全ての自発光素子に逆バイアス電圧が印加されて点灯発光しない非点灯走査期間とを設けると共に、前記非点灯走査期間の長さを、１走査線を走査する１走査期間の長さよりも短く設定することに特徴を有する。
【００２２】
また、請求項２に記載の通り、複数のデータ線および複数の走査線の各交差位置に自発光素子が配され、データ線駆動手段及び走査線走査手段により前記各自発光素子を選択的に発光駆動する自発光パネルの駆動装置であって、前記データ線駆動手段及び走査線走査手段の動作制御を行う発光制御手段を備え、前記発光制御手段は、前記走査線走査手段により前記複数の走査線が順次走査される１フレーム期間に、前記自発光素子に順バイアス電圧が印加されて点灯発光する点灯走査期間と、全ての自発光素子に逆バイアス電圧が印加されて点灯発光しない非点灯走査期間とを設けると共に、１フレーム期間中に、前記非点灯走査期間を複数回設けることに特徴を有する。
【００２３】
また、前記課題を解決するためになされた本発明にかかる自発光パネルの駆動方法は、請求項７に記載の通り、複数のデータ線および複数の走査線の各交差位置に自発光素子が配され、データ線駆動手段及び走査線走査手段により前記各自発光素子を選択的に発光駆動する自発光パネルの駆動方法であって、前記走査線走査手段により前記複数の走査線が順次走査される１フレーム期間に、前記自発光素子に順バイアス電圧が印加されて点灯発光する点灯走査期間と、全ての自発光素子に逆バイアス電圧が印加されて点灯発光しない非点灯走査期間とを設けると共に、前記非点灯走査期間の長さを、１走査線を走査する１走査期間の長さよりも短く設定することに特徴を有する。
【００２４】
また、請求項８に記載の通り、複数のデータ線および複数の走査線の各交差位置に自発光素子が配され、データ線駆動手段及び走査線走査手段により前記各自発光素子を選択的に発光駆動する自発光パネルの駆動方法であって、前記走査線走査手段により前記複数の走査線が順次走査される１フレーム期間に、前記自発光素子に順バイアス電圧が印加されて点灯発光する点灯走査期間と、全ての自発光素子に逆バイアス電圧が印加されて点灯発光しない非点灯走査期間とを設けると共に、１フレーム期間中に、前記非点灯走査期間を複数回設けることに特徴を有する。
【発明を実施するための最良の形態】
【００２５】
以下、この発明にかかる自発光パネルの駆動装置および駆動方法について、図に示す実施の形態に基づいて説明する。尚、以下の説明においてはすでに説明した図３に示された各部に相当する部分を同一符号で示しており、したがって個々の機能および動作については適宜説明を省略する。
【００２６】
先ず、本発明にかかる自発光パネルの駆動装置及び駆動方法の第一の実施の形態について説明する。図５は、パッシブ駆動型発光パネル１およびその駆動装置１００の第一の実施の形態を示すブロック図である。なお、本実施の形態においては、図３と同様に陽極線をドライブ線とし、陰極線を走査線とする構成とする。
【００２７】
また、図５に示す回路構成は、パッシブ駆動型発光パネル１において走査線となる陰極線Ｋが６本（Ｋ１〜Ｋ６）の構成とされる。すなわち、走査線の本数が少ない構成となされ、発光パネル１の用途としては、画像データの表示パネルとしてよりもプリンタ装置のプリンタ光源等として好適に用いられる。また、図５においては、図３には示されなかった発光制御回路５（発光制御手段）が示され、入力される発光データに対し陽極線ドライブ回路２（データ線駆動手段）および陰極線走査回路３（走査線走査手段）の動作制御を行うようになされている。
【００２８】
このように構成されたパッシブ駆動型発光パネルの駆動装置１００の動作について図６に基いて説明する。図６は１フレーム期間、６つの走査線（Ｋ１〜Ｋ６）における走査タイミングを示す図である。１フレーム期間においては、発光制御回路５により陽極線Ａ１〜Ａｎに順次発光データＤ１〜Ｄ６が供給され、そのタイミングに合わせて走査線Ｋ１から走査線Ｋ６まで順に走査線選択制御が行われる。
【００２９】
また、本実施の形態における発光パネルの駆動装置１００においては、図６に示すように６本全ての走査線の走査終了後、１走査期間（ＳＰ）よりも短い期間の非点灯走査期間（ＮＳＰ）が設けられる。そして、その非点灯走査期間（ＮＳＰ）においては、すべてのドライブスイッチＳＸ１〜ＳＸｎがグランド電位に切り替えられ、すべての走査スイッチＳＹ１〜ＳＹ４が逆バイアス電圧ＶＭに切替えられる。これにより、全てのＥＬ素子に対し同時に逆バイアス電圧が印加される。
【００３０】
以上のように、本発明にかかる第一の実施の形態によれば、走査される走査線数が数本等の少ない場合に、全てのＥＬ素子に逆バイアス電圧が印加される非点灯走査期間（ＮＳＰ）が１走査期間（ＳＰ）よりも短い期間に設定される。その結果、１フレーム期間に非点灯走査期間（ＮＳＰ）が占める割合を小さくすることができ、従来、非点灯走査期間（ＮＳＰ）が走査期間（ＳＰ）単位で設けられていた場合よりも発光効率を向上することができる。
【００３１】
続いて、本発明にかかる自発光パネルの駆動装置及び駆動方法の第二の実施の形態について説明する。尚、以下の説明においてはすでに説明した図３及び第一の実施の形態における図５に示された各部に相当する部分を同一符号で示しており、したがって個々の機能および動作については適宜説明を省略する。
【００３２】
図７は、パッシブ駆動型発光パネル１およびその駆動装置１００の第二の実施の形態を示すブロック図である。なお、本実施の形態においては、図３、図５と同様に陽極線をドライブ線とし、陰極線を走査線とする構成とする。また、図７に示す回路構成は、パッシブ駆動型発光パネル１において走査線となる陰極線Ｋが図３とは異なるｐ本（Ｋ１〜Ｋｐ）の構成とされる。
【００３３】
続いて、図７の駆動装置１００によるＥＬ素子の発光駆動制御について説明する。図８は１フレーム期間、走査線Ｋ１〜Ｋｐにおける走査タイミングを示す図である。１フレーム期間においては、発光制御回路５により陽極線Ａ１〜Ａｎに順次発光データＤ１〜Ｄｐが供給され、そのタイミングに合わせて走査線Ｋ１から走査線Ｋｐまで順に走査線選択制御が行われる。
【００３４】
また、本実施の形態における発光パネルの駆動装置１００においては、図８に示すように３本の走査線の走査ごとに、非点灯走査期間（ＮＳＰ）が設けられ、この非点灯走査期間（ＮＳＰ）は、１走査期間（ＳＰ）とは異なる長さ（例えば短い長さ）に制御される。すなわち、１フレーム期間中に複数の非点灯走査期間（ＮＳＰ）が設けられることになる。また、そのとき、１フレーム中に占める非点灯走査期間（ＮＳＰ）の合計の割合が、図３に示した従来の走査線数ｎ本の場合と同一になるよう、各非点灯走査期間（ＮＳＰ）の長さが制御される。すなわち、走査線数に因らず、１フレーム中に占める非点灯走査期間（ＮＳＰ）の合計の割合が一定となるようになされる。
【００３５】
また、１フレーム期間中、複数の非点灯走査期間（ＮＳＰ）においては、すべてのドライブスイッチＳＸ１〜ＳＸｎがグランド電位に切り替えられ、すべての走査スイッチＳＹ１〜ＳＹ４が逆バイアス電圧ＶＭに切替えられる。これにより、全てのＥＬ素子に対し同時に逆バイアス電圧が印加される。
【００３６】
以上のように、本発明にかかる第二の実施の形態によれば、従来とは異なる走査線数の発光パネルの点灯制御において、１フレーム期間中に複数回の非点灯走査期間（ＮＳＰ）が設けられ、各非点灯走査期間（ＮＳＰ）の長さが制御される。すなわち、１フレーム中に占める非点灯走査期間（ＮＳＰ）の合計の割合が、従来の走査線数の場合と同一となるようになされる。このように制御することにより、走査される走査線の数が変化しても、発光パネル１の発光効率を一定に保つことができる。また、１フレーム期間中に全てのＥＬ素子に対し複数回の逆バイアス電圧が印加されるため、よりＥＬ素子の自己リペア効率を向上し、延命効果を向上することができる。
【００３７】
なお、前記第二の実施の形態においては、３本の走査線を走査するごとに非点灯走査期間（ＮＳＰ）とする制御としたが、３本に限らず、例えば、２本や５本等の走査線を走査するごとに非点灯走査期間（ＮＳＰ）を設けるように制御を行ってもよい。例えば、より非点灯走査期間（ＮＳＰ）を分散させるために、図９に示すように、一走査期間（ＳＰ）ごとに非点灯走査期間（ＮＳＰ）を設け、各非点灯走査期間（ＮＳＰ）において全ＥＬ素子に逆バイアス電圧を印加するように制御してもよい。
【００３８】
また、そのように、１フレーム中に含まれる非点灯走査期間（ＮＳＰ）の数を変化させる場合には、１フレーム中に占める非点灯走査期間（ＮＳＰ）の合計の割合が、１フレーム期間中に含まれる非点灯走査期間（ＮＳＰ）の数に因らず一定となるよう非点灯走査期間（ＮＳＰ）の長さを制御することが望ましい。このように制御することにより、１フレーム期間中に含まれる非点灯走査期間（ＮＳＰ）の数が変化しても、発光パネル１の発光効率を一定に保つことができる。
【００３９】
なお、前記した第一及び第二の実施の形態においては、走査線が６本の場合を例に示したが、本発明の発光パネルの駆動装置にあっては、走査線の本数を限定するものではない。また、前記実施の形態において、陽極線をドライブ線とし、陰極線を走査線とする構成としたが、本発明に係る駆動装置および駆動方法にあっては、陰極線をドライブ線とし、陽極線を走査線とする構成でもよい。
【図面の簡単な説明】
【００４０】
【図１】有機ＥＬ素子の電気的な構成を示した等価回路図である。
【図２】有機ＥＬ素子の電気的な静特性を説明する特性図である。
【図３】従来のパッシブ駆動型発光パネルの駆動装置の例を示した結線図である。
【図４】従来のパッシブ型駆動方式における、１フレーム期間の構成を示すタイミング図である。
【図５】本発明の第一の実施の形態に係るパッシブ駆動型発光パネルの駆動装置を示すブロック図である。
【図６】図５の駆動装置による１フレーム期間における走査タイミングの一例を示す図である。
【図７】本発明の第二の実施の形態に係るパッシブ駆動型発光パネルの駆動装置を示すブロック図である。
【図８】図７の駆動装置による１フレーム期間での走査タイミングの一例を示す図である。
【図９】図７の駆動装置による１フレーム期間での走査タイミングの他の例を示す図である。
【符号の説明】
【００４１】
１        発光パネル
２        陽極線ドライブ回路（データ線駆動手段）
３        陰極線走査回路（走査線走査手段）
５        発光制御回路（発光制御手段）
１００    駆動装置
Ａ        陽極線（データ線）
Ｋ        陰極線（走査線）
Ｅ        発光素子
【図１】
2006251457.tif 000004
【図２】
2006251457.tif 000005
【図３】
2006251457.tif 000006
【図４】
2006251457.tif 000007
【図５】
2006251457.tif 000008
【図６】
2006251457.tif 000009
【図７】
2006251457.tif 000010
【図８】
2006251457.tif 000011
【図９】
2006251457.tif 000012